(57)【要約】【課題】１種類の底板により玉箱内に収容する玉の量を変更することができる玉箱を提供する。【解決手段】パチンコ玉を収容すべく上面が開口された玉箱本体１と、玉箱本体１の内底面に装着される底板１０とを備え、玉箱本体１の内底面２０ｂ及び底板１０の下面の一方に溝２０ａを他方に条１０ｂを設け、該溝２０ａと条１０ｂとは底板１０が玉箱本体１の内底面２０ｂに所定の位置関係で装着される場合にのみ嵌合可能である。玉箱本体１の内底面２０ｂ及び底板１０は平面視で長方形状をなし、略同一寸法であり、長手方向を揃えた１８０度回転対称の２つの角度位置の一方で溝２０ａと条１０ｂとが嵌合可能である。【選択図】図４
2011167264.tif 000002
【特許請求の範囲】
【請求項１】
パチンコ玉を収容すべく上面が開口された玉箱本体と、該玉箱本体の内底面に装着される底板とを備えた玉箱において、
前記玉箱本体の内底面及び前記底板の下面の一方に凹部を他方に凸部を設け、該凹部と凸部とは前記底板が前記玉箱本体の内底面に所定の位置関係で装着される場合にのみ嵌合可能であることを特徴とする玉箱。
【請求項２】
前記玉箱本体の内底面及び前記底板は平面視で長方形状をなし、略同一寸法であり、長手方向を揃えた１８０度回転対称の２つの角度位置の一方で前記凹部と凸部とが嵌合可能であることを特徴とする請求項１に記載の玉箱。
【請求項３】
前記凹部は格子状の溝であり、前記凸部は格子状の条であることを特徴とする請求項１又は２に記載の玉箱。
【請求項４】
前記底板の下面に下向きに係止片を突設してあり、前記玉箱本体の底部に、前記凹部と凸部とが嵌合した位置にある前記底板の前記係止片を係止することが可能な係止部と、前記凹部と凸部とが嵌合していない位置にある前記底板の前記係止片を係止することが可能な係止部とを設けていることを特徴とする請求項１から３のいずれか１項に記載の玉箱。
【発明の詳細な説明】
【技術分野】
【０００１】
本発明はパチンコ玉の投入及び取り出しができるように上面が開口された玉箱に関する。
【背景技術】
【０００２】
パチンコ店では、遊技客が所謂大当たりのときにパチンコ機から出る玉を保管し、遊技終了後に景品交換所へ運搬するために玉箱が使用され、また該玉箱は店員がパチンコ機の管理作業を行う場合に多量のパチンコ玉を運搬するためにも使用される。玉箱の内底面には投入される玉による衝撃音を抑制する等のために樹脂製の底板が装着される（例えば特許文献１参照）。
【０００３】
玉箱に収容する玉の量を変更する要求（例えば１６００個用と１８００個用の２種類）があり、そのため、同一寸法の玉箱本体に対して厚さの異なる底板を用意し、玉箱本体の内底面に底板を装着したときの玉箱の内容積を変更して対応している。
【先行技術文献】
【特許文献】
【０００４】
【特許文献１】特開２００９−１１２７７１号公報
【発明の概要】
【発明が解決しようとする課題】
【０００５】
従来の玉箱では、収容する玉の量を変更するために厚さの異なる底板を用意していたので、異なる厚さの底板を製作する金型が複数必要であるとともに、厚さの異なる底板毎の製作作業が面倒であり、コスト高になる。またパチンコ店においては、複数種類の底板を保管して管理するための手間が大きいという不利があった。
【０００６】
本発明は、上述したような事情に鑑みてなされたものであり、１種類の底板により玉箱内に収容する玉の量を変更することができる玉箱を提供することを目的とする。
【課題を解決するための手段】
【０００７】
第１の発明に係る玉箱は、パチンコ玉を収容すべく上面が開口された玉箱本体と、該玉箱本体の内底面に装着される底板とを備えた玉箱において、前記玉箱本体の内底面及び前記底板の下面の一方に凹部を他方に凸部を設け、該凹部と凸部とは前記底板が前記玉箱本体の内底面に所定の位置関係で装着される場合にのみ嵌合可能であることを特徴とする。
【０００８】
第１の発明においては、パチンコ玉を収容すべく上面が開口された玉箱本体の内底面に底板が所定の位置関係で装着される場合、玉箱本体の内底面及び底板の下面の一方に設けた凹部と他方に設けた凸部とが嵌合するので、底板の下面が玉箱本体の内底面に近づき、底板の上面の位置は低くなる。一方、玉箱本体の内底面に底板が所定の位置関係でない状態で装着される場合、前記凹部と凸部とは嵌合しないので、底板の下面と玉箱本体の内底面との距離は凹部と凸部とが嵌合した場合より遠くなり、底板の上面の位置は高くなる。
【０００９】
第２の発明に係る玉箱は、第１の発明における前記玉箱本体の内底面及び前記底板は平面視で長方形状をなし、略同一寸法であり、長手方向を揃えた１８０度回転対称の２つの角度位置の一方で前記凹部と凸部とが嵌合可能であることを特徴とする。
第２の発明においては、長方形状の底板は略同一寸法の長方形状の玉箱本体の内底面に対して長手方向を揃えた１８０度回転対称の２つの角度位置で装着可能であり、該２つの角度位置の一方で前記凹部と凸部とが嵌合し、他方で前記凹部と凸部とは嵌合しない。
【００１０】
第３の発明に係る玉箱は、第１又は第２の発明における前記凹部は格子状の溝であり、前記凸部は格子状の条であることを特徴とする。
第３の発明においては、格子状の条が格子状の溝と嵌合する場合は条の長手方向の各部分で嵌合し、格子状の条が格子状の溝と嵌合しない場合は条の長手方向の各部分が溝の周囲の部分に当接する。
【００１１】
第４の発明に係る玉箱は、第１から第３のいずれかの発明における前記底板の下面に下向きに係止片を突設してあり、前記玉箱本体の底部に、前記凹部と凸部とが嵌合した位置にある前記底板の前記係止片を係止することが可能な係止部と、前記凹部と凸部とが嵌合していない位置にある前記底板の前記係止片を係止することが可能な係止部とを設けていることを特徴とする。
第４の発明においては、前記凹部と凸部とが嵌合した位置及び前記凹部と凸部とが嵌合していない位置のいずれにある場合でも、底板の下面に下向きに突設した係止片が玉箱本体の底部に設けた係止部に係止される。
【発明の効果】
【００１２】
第１の発明に係る玉箱によれば、玉箱本体の内底面に底板を所定の位置関係で装着した場合は底板の上面の位置が低く、底板を装着したときの玉箱の内容積が増加するので、玉箱内に収容可能な玉の量が多くなる。玉箱本体の内底面に底板を所定の位置関係でない状態で装着した場合は底板の上面の位置が高く、底板を装着したときの玉箱の内容積が減少するので、玉箱内に収容可能な玉の量が少なくなる。
従って、１種類の底板の装着位置の変更により玉箱内に収容する玉の量を変更することができる玉箱が提供される。
【００１３】
第２の発明に係る玉箱によれば、長方形状の底板を長方形状の玉箱本体の内底面に対して１８０度回転対称の２つの角度位置に変更して装着することにより、玉箱内に収容する玉の量を変更することができる玉箱が提供される。
【００１４】
第３の発明に係る玉箱によれば、格子状の溝と格子状の条とが嵌合した位置では安定な嵌合を実現しつつ、格子状の溝と格子状の条とが嵌合しない位置では条によって玉箱本体の内底面に当接する底板の剛性を確保することができる。
【００１５】
第４の発明に係る玉箱によれば、前記凹部と凸部とが嵌合した位置及び前記凹部と凸部とが嵌合していない位置のいずれの場合でも、底部は玉箱本体の底部に外れないように係止することができる。
【図面の簡単な説明】
【００１６】
【図１】本発明に係る玉箱を構成する玉箱本体の斜視図である。
【図２】本発明に係る玉箱を構成する底板の裏面側の斜視図である。
【図３】底板を玉箱本体に装着した玉箱の平面図である。
【図４】図３のＩＶ−ＩＶ線における断面図である。
【図５】図３のＶ−Ｖ線における断面図である。
【図６】図３の玉箱の底面図である。
【図７】底板を玉箱本体に装着した玉箱の平面図である。
【図８】図７のＶＩＩＩ−ＶＩＩＩ線における断面図である。
【図９】図７のＩＸ−ＩＸ線における断面図である。
【図１０】図７の玉箱の底面図である。
【発明を実施するための形態】
【００１７】
以下、本発明に係る玉箱の実施の形態について、図面に基づいて説明する。
図１は本発明に係る玉箱を構成する玉箱本体の斜視図、図２は本発明に係る玉箱を構成する底板の裏面側の斜視図、図３は底板を玉箱本体に装着した玉箱の平面図、図４は図３のＩＶ−ＩＶ線における断面図、図５は図３のＶ−Ｖ線における断面図、図６は図３の玉箱の底面図、図７は底板を玉箱本体に装着した玉箱の平面図、図８は図７のＶＩＩＩ−ＶＩＩＩ線における断面図、図９は図７のＩＸ−ＩＸ線における断面図、図１０は図７の玉箱の底面図である。
【００１８】
玉箱本体１は、パチンコ玉が収容される倒立四角錘台状の箱部２と、箱部２に付設された２個の取手３とを備える。玉箱本体１は例えばポリカーボネート樹脂等の合成樹脂を略同一の板厚となるように射出成形して作製される。
【００１９】
箱部２は、平面視で長方形状の内底面を有する底壁２０と、底壁２０の外周縁部に連設された側壁２１とを備えている。側壁２１は箱部２の四隅では円弧状に形成してある。底壁２０は上げ底であり、側壁２１の下端部が床等に接触する。
【００２０】
箱部２には、底壁２０に対向して上面に長方形状の開口２２が形成され、平面視において開口２２の中心位置は底壁２０の中心位置と一致し、開口２２は底壁２０の外周寸法より大きい。従って、側壁２１は底壁２０の側から開口２２の側に亘って外向きに広がるように傾斜している。
【００２１】
底壁２０は周縁部より内側部分が高くなった台状部２０ｂを有し、該台状部２０ｂに格子状の溝２０ａを形成してある。溝２０ａは底壁２０の長辺及び短辺に平行で互いに交差し、底壁２０の全体の格子の形状は非対称である。溝２０ａの底は溝２０ａ以外の台状部２０ｂよりも低い位置にあり、底壁２０は溝２０ａの箇所で溝幅より広い幅で下側に突出して凸条を形成している。
【００２２】
底壁２０の四隅付近の長辺に沿った溝２０ａに、溝幅と略同一の幅で溝方向に細長い開口２３ａを設けてある。開口２３ａの長手方向の両側の底壁２０は逆台形状の断面を有し、開口２３ａは上側より下側で狭くなっている。底壁２０の四隅付近の台状部２０ｂに、開口２３ａと同様の形状の開口２３ｂを設けてある。
【００２３】
底壁２０の各長辺側の周縁部の中央位置には、パチンコ玉を下側に突出した状態で保持する孔を下端部に備えた２つの静電気防止穴２４ａ，２４ｂが設けてある。静電気防止穴２４ａ，２４ｂは平面視で略長方形状をなし、下側部分が内側に狭くなるように傾斜した側壁を有しており、該側壁の下端は側壁２１の下端部と同じ高さに位置している。一方の静電気防止穴２４ａの側壁は途中に前記溝２０ａの底と同じ高さの環状段部２４ａ１を有しており、他方の静電気防止穴２４ｂの側壁は途中に段部を有していない。
【００２４】
底板１０は、平面視で長方形状であり、四隅が円弧状の平板部１０ａと、平板部１０ａの下部から下向きに突設した格子状の条１０ｂとを備える。平板部１０ａの全周には、条１０ｂと略同一高さの裾部１０ｄが設けてある。底板１０は、投入されるパチンコ玉の衝突時の消音効果を高めるために、例えば軟質のポリエチレン樹脂を射出成形して作製される。
【００２５】
底板１０の１つの長辺側の周縁部の中央位置に、パチンコ玉を通過させる開口を有する玉通過部１０ｅが設けてある。玉通過部１０ｅは平面視で略長方形状をなし、下側部分が内側に狭くなるように傾斜した側壁を有し、該側壁の下端は条１０ｂの下端部と同じ高さに位置している。
【００２６】
底板１０の平板部１０ａは平面視での形状が玉箱本体１の底壁２０と略同一の長方形状で、寸法も略同一である。従って、底板１０の平板部１０ａは玉箱本体１の底壁２０に対して長手方向を揃えた状態で、１８０度向きを変えた回転対称の２つの位置（図３の位置と図７の位置）で装着が可能である。また、底板１０の条１０ｂは平板部１０ａの長辺及び短辺に平行で互いに交差し、底板１０の全体の格子の形状は非対称であり、底壁２０の溝２０ａの格子の形状と一致する。従って、底板１０の条１０ｂは上記１８０度回転対称の２つの位置の一方で、底壁２０の溝２０ａに嵌合可能であり（図４、図５）、他方の位置では嵌合しない（図８、図９）。底壁２０の溝２０ａに底板１０の条１０ｂが嵌合した装着状態（図４、図５）では、底壁２０の溝２０ａに底板１０の条１０ｂが嵌合していない装着状態（図８、図９）に比べて底板１０の上面の位置が低いので、箱部２に収容可能な玉の量が多くなる。
【００２７】
底板１０の四隅付近の長辺に平行な条１０ｂは一部欠落しており、該条１０ｂの欠落部分に条の方向に間隔を隔てて対向する一対の鉤型部材１０ｃ１と、各鉤型部材１０ｃ１を保持する一対の保持部１０ｃ２とが設けてある。一対の鉤型部材１０ｃ１は、鉤部分が対向する側とは反対に位置し、高さが条１０ｂの高さよりも高くなるように下向きに突設してある。
【００２８】
上記４組の鉤型部材１０ｃ１の位置は、底板１０の条１０ｂが底壁２０の溝２０ａに嵌合する装着状態では前記底壁２０の４個の開口２３ａの位置に対応する。そして各開口２３ａに向かって一対の鉤型部材１０ｃ１が挿入されると、一対の鉤型部材１０ｃ１の間隔が狭くなり、開口２３ａを通過した後は元の間隔に戻るので、一対の鉤型部材１０ｃ１は底壁２０に抜け止め状態に保持される（図４、図６）。また４組の鉤型部材１０ｃ１の位置は、底板１０の条１０ｂが底壁２０の溝２０ａに嵌合しない装着状態では前記底壁２０の４個の開口２３ｂの位置に対応する。そして、上記と同様に４組の鉤型部材１０ｃ１が各開口２３ｂの位置で底壁２０に抜け止め状態に保持される（図８、図１０）。
【００２９】
従って、底板１０の条１０ｂが底壁２０の溝２０ａに嵌合する装着状態と、底板１０の条１０ｂが底壁２０の溝２０ａに嵌合しない装着状態の何れにおいても、底板１０の４個の鉤型部材１０ｃ１が箱部２の底壁２０に係止され、底板１０は確実に箱部２に装着した状態に維持される。
【００３０】
また、箱部２内に収容されたパチンコ玉は前記玉通過部１０ｅと静電気防止穴２４ａ，２４ｂとを通じて床等に接触し、パチンコ玉の帯電電荷が床等に放電され、帯電電荷が残ることが防止される。具体的には、底板１０の条１０ｂが底壁２０の溝２０ａに嵌合した場合（図５）は、玉通過部１０ｅの下端が静電気防止穴２４ａの環状段部２４ａ１で受け止められ、静電気防止穴２４ａの下端部の孔から下側に突き出た玉が床等に接触して帯電電荷が放電される。底板１０の条１０ｂが底壁２０の溝２０ａに嵌合していない場合（図９）は、玉通過部１０ｅの下端が静電気防止穴２４ｂの周囲の底壁２０で受け止められ、静電気防止穴２４ｂの下端部の孔から下側に突き出た玉が床等に接触して帯電電荷が放電される。
【符号の説明】
【００３１】
１      玉箱本体
１０    底板
１０ｂ  条（凸部）
１０ｃ  係止片
２０ｂ  台状部（内底面）
２０ａ  溝（凹部）
２３ａ  係止部
２３ｂ  係止部 
【図１】
2011167264.tif 000003
【図２】
2011167264.tif 000004
【図３】
2011167264.tif 000005
【図４】
2011167264.tif 000006
【図５】
2011167264.tif 000007
【図６】
2011167264.tif 000008
【図７】
2011167264.tif 000009
【図８】
2011167264.tif 000010
【図９】
2011167264.tif 000011
【図１０】
2011167264.tif 000012